(57)【要約】【課題】複数枚の並列した連動引き戸を自動閉止する複連引き戸の自動閉止装置に関する。【解決手段】複数枚の引き戸を連動して開閉自在とした複連引き戸において、戸先側から２枚目、もしくは、それ以降の引き戸２に、引き戸を閉止方向に移動させる駆動装置３を取り付けたのである。【選択図】　　　　図１
2004011407.tif 000002
【特許請求の範囲】
【請求項１】
複数枚の引き戸を連動して開閉自在とした複連引き戸において、戸先側から２枚目、もしくは、それ以降の引き戸（２）に、閉止方向に移動させる、例えば、うず巻ばね、オイルシリンダー、重錘などを原動力とした駆動装置（３）を取り付けて駆動引き戸とした複連引き戸の自動閉止装置。
【請求項２】
駆動装置（３）と連動、もしくは、並行して引き戸（２）の閉止方向への走行を一定速度に制御する制動機構（８）を装備した請求項１記載の複連引き戸の自動閉止装置。
【請求項３】
複数枚の引き戸を連動して開閉自在とした複連引き戸において、戸先側から２枚目、もしくは、それ以降の引き戸（２）の戸先側の端部に、うず巻ばねの復元力によってワイヤーロープ（５）を巻き取る巻取器（１０）からなる駆動装置（３）を取り付けて駆動引き戸とし、ワイヤーロープ（５）の他端を開口枠（７）の適所、もしくは、最先端の引き戸（１）の戸尻側に連繋した複連引き戸の自動閉止装置。
【請求項４】
複数枚の引き戸を連動して開閉自在とした複連引き戸において、戸先側から２枚目、もしくは、それ以降の引き戸（２）の戸先側の端部に、重力によって下降する重錘（４）と、重錘（４）を吊り下げたワイヤーロープ（５）を案内するプーリー（６）とからなる駆動装置（３）を取り付けて駆動引き戸とし、ワイヤーロープ（５）の他端を開口枠（７）の適所、もしくは、最先端の引き戸（１）の戸尻側に連繋した複連引き戸の自動閉止装置。
【請求項５】
巻取器（１０）に連結され、あるいは、重錘（４）が吊り下げられたワイヤロープ（５）の走行を、一定速度に制御する制動機構（８）を、駆動装置（３）に連動、もしくは、並行して装備した請求項３、または４に記載した複連引き戸の自動閉止装置。
【請求項６】
戸先側最先端の引き戸（１）が、２枚目、もしくは、それ以降の引き戸（２）より横幅を広く構成されている請求項１、３、または４に記載した複連引き戸の自動閉止装置。
【発明の詳細な説明】
【０００１】
【発明の属する技術分野】
本発明は、複数枚の並列した連動引き戸を自動閉止する複連引き戸の自動閉止装置に関する。
【０００２】
【従来の技術】
一般に、複数枚の並列した引き戸を開閉するに当っては、夫々の引き戸を個別に開閉操作するか、或いは、先頭の引き戸の開閉完了に伴って、続く引き戸の開閉が開始する方式が見受けられ、引き戸全体の開閉操作は確実であるとしても、操作の円滑性に欠け、開閉作業効率が悪いものであった。
【０００３】
このため従来では、ワイヤー、若しくは、ベルトなどをプーリーに架け渡す方式や、ラックにピニオンを噛合させる方式によって複数枚の並列した引き戸が、順次連動して夫々の所定の距離を移動するものが見受けられるに至った。
【０００４】
しかしながら、複数枚の連動する引き戸を開閉するに際しては、閉止側の最先端の引き戸を移動の基本とした場合、最先端の引き戸の移動距離が長いことから移動の慣性力が働いて移動速度が速くなり、開閉終端時において引き戸が開口枠に衝突する衝撃度は強く、反動が生じるなどして通行に危険を伴っていた。
【０００５】
従って、複数枚の連動する引き戸を自動閉止させるためには、閉止速度の適正化や、閉止時においての開口枠への衝突前に引き戸の移動速度を減速するなどの処置が不可欠であり、閉止速度適正化のために複雑な機構を必要としていたのである。
【０００６】
【発明が解決しようとする課題】
解決しようとする問題点は、従来の複連引き戸においては、自動閉止方式とすること自体が困難であり、仮りに、自動閉止機能が備えられたとしても閉止速度適正化のための複雑な機構を要すると共に、手動で閉止するには閉止速度適正化のための制動力が障害となるなどの不都合があった。
【０００７】
【課題を解決するための手段】
本発明の基本とするところは、複数枚の引き戸を連動して開閉自在とした複連引き戸において、戸先側から２枚目、もしくは、それ以降の引き戸に、引き戸を閉止方向に移動させる、例えば、うず巻ばね、オイルシリンダー、重錘などを原動力とした駆動装置を取り付けたのである。
【０００８】
引き戸の閉止方向への走行を一定速度に制御する制動機構を、駆動装置に連動、もしくは、並行して設けることが望ましい。
【０００９】
駆動装置が、うず巻ばねを原動力とするものである場合には、うず巻ばねの復元力によってワイヤーロープを巻き取る巻取器を、戸先側から２枚目、もしくは、それ以降の引き戸の戸先側の端部に取り付けて駆動引き戸とし、ワイヤーロープの他端を開口枠の適所、もしくは、最先端の引き戸の戸尻側に連繋する構成が考えられる。
【００１０】
駆動装置が、重鍾を原動力とするものである場合には、重力により下降する重錘を吊り下げたワイヤーロープを案内するプーリーを、戸先側から２枚目、もしくは、それ以降の引き戸の戸先側の端部に取り付けて駆動引き戸とし、ワイヤーロープの他端を開口枠の適所、もしくは、最先端の引き戸の戸尻側に連繋する構成が考えられる。
【００１１】
そして、巻取器が連結され、あるいは、重錘が吊り下げられたワイヤーロープの走行を一定速度に制御する制動機構を、駆動装置に連動、もしくは、並行して装備することが考えられる。
【００１２】
また、戸先側最先端の引き戸が、２枚目、もしくは、それ以降の引き戸より横幅を広く構成されていることが好ましい。
【００１３】
【作用】
而して、複数枚の引き戸を連動して開閉自在とした複連引き戸において、戸先側から２枚目、もしくは、それ以降の引き戸に取り付けられる引き戸を閉止方向に移動させる駆動装置の原動力としては、うず巻ばね、オイルシリンダー、引きバネ、重錘などが考えられ、仮りに、駆動装置にどのような原動力が用いられたとしても、戸先側から２枚目、もしくは、それ以降の引き戸の閉止方向への移動距離は、戸先側最先端の引き戸の移動距離に比して短いものであって、移動の慣性力が大となる以前に複連引き戸の閉止が完了する。
【００１４】
そして、駆動装置に、うず巻ばねの復元力、重錘の下降力を原動力として利用した場合には、うず巻ばねによりワイヤーロープを巻き取る巻取器、或いは、重力により下降する重錘が吊り下げられるワイヤーロープを案内するプーリーを、戸先側から２枚目、もしくは、それ以降の引き戸の戸先側の端部に取り付けるもので、巻取器、或いは、プーリーを取り付けた引き戸が駆動引き戸となり、他端を開口枠の適所、もしくは、最先端の引き戸の戸尻側に連繋したワイヤーロープに連結された巻取器の巻き取り力、或いは、吊り下げられた重錘の下降力により、駆動引き戸が閉止方向へ移動される。
【００１５】
更に、例えば、粘性ダンパーや、油圧ダンパーなどからなる制動機構、即ち、引き戸の閉止方向への走行速度を制御する制動機構を、駆動装置に連動、もしくは、並行して装備することにより、引き戸の閉止方向への走行速度を一定に保持するのであり、駆動装置にワイヤーロープが用いられる場合には、巻取器に巻き取られるワイヤーロープ、或いは、重錘が吊り下げられるワイヤーロープの走行を一定速度に制御することができ、うず巻ばねによる巻取器の巻き取り速度、重錘の下降速度、即ち、引き戸の閉止方向への走行速度を一定に保持する。
【００１６】
この際、戸先側最先端の引き戸が、２枚目、もしくは、それ以降の引き戸に比して横幅が広く構成されていることにより、駆動引き戸の巻取器やプーリー、ワイヤーロープ、および、うず巻ばね、重錘などの駆動装置が外部から隠蔽されるのである。
【００１７】
そして、開放状態の引き戸を必要に応じて手動で強制的に閉止する場合には、制動機構の制動力を超えた速さで引き戸が移動されたとしても、巻取器による巻き取り力、重錘による重力が勝ってワイヤーロープが制動機構をスリップするため、閉止方向へ軽く移動するのである。
【００１８】
【実施例】
以下図面に基づいて本発明の実施例を説明する。図面の実施例は２連式の吊り引き戸の場合を示しており、駆動装置に重錘の重力を原動力としたものであり、１は閉止側の最先端の引き戸で、これに連動して移動する２枚目の引き戸２より横幅を広く構成されている。
【００１９】
３は２枚目の引き戸２の、戸先側の端部に取り付けた駆動装置で、戸先側の端部に沿って昇降する重錘４と、この重錘３を吊り下げたワイヤーロープ５を案内するプーリー６を設けており、ワイヤーロープ５の他端は走行レールなどの開口枠７の適所に連繋されている。
【００２０】
８は重錘３を吊り下げたワイヤーロープ５の走行を一定速度に制御する制動機構で、ワイヤーロープ５を案内するプーリー６と連動して装備されている。
【００２１】
９は２枚目の引き戸２の、戸先側の端部に設けた昇降室で、駆動装置３はこの昇降室９の内部に設けられ、重錘４は昇降室９の内部を昇降して外部からはみえることはない。
【００２２】
図面の実施例では２連式の吊り引き戸の場合を示しているが、３連以上の引き戸であってもよく、また、駆動装置３にうず巻ばねの復元力を原動力とした巻取器１０の使用も考えられ、更には、引き戸を閉止方向へ牽引するワイヤーロープ５の他端は、最先端の引き戸１の戸尻側に連繋されても自動閉止する。
【００２３】
【発明の効果】
本発明は上記のように、複数枚の引き戸を連動して開閉自在とした複連引き戸において、戸先側から２枚目、もしくは、それ以降の引き戸に、引き戸を閉止方向に移動させる駆動装置を取り付けたことから、戸先側から２枚目、もしくは、それ以降の引き戸が駆動引き戸となり、戸先側から２枚目、もしくは、それ以降の引き戸の閉止方向への移動距離は、戸先側最先端の引き戸の移動距離に比して短く、移動の慣性力が小の状態のうちに複連引き戸の閉止が完了するのである。
【００２４】
更に、引き戸の閉止方向への走行速度を制御する制動機構を、駆動装置に連動、もしくは、並行して装備することにより、引き戸の閉止方向への走行速度を一定に保持し、引き戸の移動の慣性力が小の状態にあることと相俟って通行に安全性の高い自動閉止装置を得ることができるのである。
【図面の簡単な説明】
【図１】引き戸を開放した状態の正面図である。
【図２】引き戸を開放した状態の平面図である。
【図３】引き戸を閉止した状態の正面図である。
【図４】引き戸を閉止した状態の平面図である。
【図５】駆動装置を巻取器とした概略説明図である。
【符号の説明】
１　　　　　　　　　閉止側最先端の引き戸
２　　　　　　　　　２枚目の引き戸
３　　　　　　　　　駆動装置
４　　　　　　　　　重錘
５　　　　　　　　　ワイヤーロープ
６　　　　　　　　　プーリー
７　　　　　　　　　開口枠
８　　　　　　　　　制動機構
９　　　　　　　　　昇降室
１０　　　　　　　　　巻取器
【図１】
2004011407.tif 000003
【図２】
2004011407.tif 000004
【図３】
2004011407.tif 000005
【図４】
2004011407.tif 000006
【図５】
2004011407.tif 000007